(57)【要約】      （修正有）【課題】床面に設けられたケーブルラックの挿通開口部を簡便に遮蔽することが可能なケーブルラック挿通開口部のカバーキットを提供する。【解決手段】ケーブルラック挿通開口部のカバーキットは、矩形状の網部３０５と、前記網部３０５の第１辺側において目通しされると共に、前記第１辺を挟む第３辺及び第４辺の双方より引き出される第１紐部材３１０と、前記第１辺側と対向する第２辺側において目通しされると共に、前記第２辺を挟む第３辺及び第４辺の双方より引き出される第２紐部材３２０と、とからなるネット部材３００とを備える。さらに、開口枠部２０５と、前記開口枠部２０５から第１の方向に延出する第１垂直片２１０と、前記第１垂直片２１０に設けられる孔部２１２と、前記孔部２１２に挿通される引っ掛け部２３２を有するボルト部材２３０と、前記ボルト部材２３０に螺着されるナット部材２４０と、からなるスペーサー部材２００と、を含む。【選択図】図３
0003179008.tif 000002
【実用新案登録請求の範囲】
【請求項１】
矩形状の網部と、
前記網部の第１辺側において目通しされると共に、前記第１辺を挟む第３辺及び第４辺の双方より引き出される第１紐部材と、
前記第１辺側と対向する第２辺側において目通しされると共に、前記第２辺を挟む第３辺及び第４辺の双方より引き出される第２紐部材と、とからなるネット部材と、
開口枠部と、
前記開口枠部から第１の方向に延出する第１垂直片と、
前記第１垂直片に設けられる孔部と、
前記孔部に挿通される引っ掛け部を有するボルト部材と、
前記ボルト部材に螺着されるナット部材と、からなるスペーサー部材と、
を含むことを特徴とするケーブルラック挿通開口部のカバーキット。
【請求項２】
前記第１紐部材と前記第２紐部材の色が互いに異なることを特徴とする請求項１に記載のケーブルラック挿通開口部のカバーキット。
【請求項３】
前記第２紐部材の両端部にフック部材が取り付けられることを特徴とする請求項１又は請求項２に記載のケーブルラック挿通開口部のカバーキット。
【請求項４】
前記フック部材がＳ字状であることを特徴とする請求項３に記載のケーブルラック挿通開口部のカバーキット。
【請求項５】
前記開口枠部から第１の方向と反対の第２の方向に延出する第２垂直片を有することを特徴とする請求項１乃至請求項４のいずれか１項に記載のケーブルラック挿通開口部のカバーキット。
【請求項６】
前記孔部が長孔であることを特徴とする請求項１乃至請求項５のいずれか１項に記載のケーブルラック挿通開口部のカバーキット。
【請求項７】
前記孔部が前記第１垂直片に複数設けられることを特徴とする請求項１乃至請求項６のいずれか１項に記載のケーブルラック挿通開口部のカバーキット。
【考案の詳細な説明】
【技術分野】
【０００１】
本考案は、床面に設けられたケーブルラックの挿通開口部を簡便に遮蔽することが可能なケーブルラック挿通開口部のカバーキットに関する。
【背景技術】
【０００２】
例えば、実開平７−２７２４０号公報に開示されているように、ビル内の電気配線を支持するためにケーブルラックが用いられる。このようなケーブルラックは、天井部と、その上の階の床部との間のコンクリート躯体の貫通孔に挿通されるようにして、ビルの全てのフロアに渡って配され、電気配線は当該ケーブルラックに結束バンドによって固定することで、電気配線をビル内に行き渡らせるようにするものである。
【特許文献１】実開平７−２７２４０号公報
【考案の開示】
【考案が解決しようとする課題】
【０００３】
床部に設けられているケーブルラックを挿通させる開口は、ビルの施工期間中、安全を担保するためにも何らかの手段により、遮蔽するようにしている。従来、遮蔽手段としてはベニヤ板などを用いるようにしていた。
【０００４】
ビルの施工中においては、ケーブルラックには随時、新たな電気配線となるケーブルが追加されるわけであるが、従来の方法によれば、ケーブルの追加の度に、ベニヤ板の形状を変更させるなどの処置が必要となり、手間がかかる、という問題があった。
【課題を解決するための手段】
【０００５】
上記のような課題を解決するために、請求項１に係る考案は、矩形状の網部と、前記網部の第１辺側において目通しされると共に、前記第１辺を挟む第３辺及び第４辺の双方より引き出される第１紐部材と、前記第１辺側と対向する第２辺側において目通しされると共に、前記第２辺を挟む第３辺及び第４辺の双方より引き出される第２紐部材と、とからなるネット部材と、開口枠部と、前記開口枠部から第１の方向に延出する第１垂直片と、前記第１垂直片に設けられる孔部と、前記孔部に挿通される引っ掛け部を有するボルト部材と、前記ボルト部材に螺着されるナット部材と、からなるスペーサー部材と、を含むことを特徴とするケーブルラック挿通開口部のカバーキットである。
【０００６】
また、請求項２に係る考案は、請求項１に記載のケーブルラック挿通開口部のカバーキットにおいて、前記第１紐部材と前記第２紐部材の色が互いに異なることを特徴とする。
【０００７】
また、請求項３に係る考案は、請求項１又は請求項２に記載のケーブルラック挿通開口部のカバーキットにおいて、前記第２紐部材の両端部にフック部材が取り付けられることを特徴とする。
【０００８】
また、請求項４に係る考案は、請求項３に記載のケーブルラック挿通開口部のカバーキットにおいて、前記フック部材がＳ字状であることを特徴とする。
【０００９】
また、請求項５に係る考案は、請求項１乃至請求項４のいずれか１項に記載のケーブルラック挿通開口部のカバーキットにおいて、前記開口枠部から第１の方向と反対の第２の方向に延出する第２垂直片を有することを特徴とする。
【００１０】
また、請求項６に係る考案は、請求項１乃至請求項５のいずれか１項に記載のケーブル
ラック挿通開口部のカバーキットにおいて、前記孔部が長孔であることを特徴とする。
【００１１】
また、請求項７に係る考案は、請求項１乃至請求項６のいずれか１項に記載のケーブルラック挿通開口部のカバーキットにおいて、前記孔部が前記第１垂直片に複数設けられることを特徴とする。
【考案の効果】
【００１２】
本考案のケーブルラック挿通開口部のカバーキットによれば、床面に設けられたケーブルラックの挿通開口部を簡便に遮蔽することが可能となる。
【図面の簡単な説明】
【００１３】
【図１】ケーブルラック挿通開口部３０とケーブルラック５０を説明する図である。
【図２】ケーブルラック５０の利用方法を説明する図である。
【図３】本考案の実施の形態に係るケーブルラック挿通開口部のカバーキット１００を示す図である。
【図４】本考案の実施の形態に係るケーブルラック挿通開口部のカバーキット１００の利用方法を説明する図である。
【図５】本考案の実施の形態に係るケーブルラック挿通開口部のカバーキット１００の利用方法を説明する図である。
【図６】本考案の実施の形態に係るケーブルラック挿通開口部のカバーキット１００の利用方法を説明する図である。
【図７】他の形態のケーブルラック挿通開口部３０を説明する図である。
【考案を実施するための形態】
【００１４】
以下、本考案の実施の形態を図面を参照しつつ説明する。図１はケーブルラック挿通開口部３０とケーブルラック５０を説明する図である。
【００１５】
図１において、３０はビルの床部に設けられているケーブルラック挿通開口部である。このケーブルラック挿通開口部３０はビルの各フロアに設けられており、各フロアのケーブルラック挿通開口部３０は鉛直方向に投影すると重なるような配置となっている。
【００１６】
各フロアのケーブルラック挿通開口部３０には、ケーブルラック５０が挿通されており、このケーブルラック５０にビルの電気配線となるケーブル８０を固定することができるようになっている。
【００１７】
ケーブルラック５０は、断面が略コ字状である２本の垂直支柱部６０と、これら２本の垂直支柱部６０の間を渡すように、複数配されてなる水平桁部７０とから構成されている。このケーブルラック５０は、図１に示すフロアのさらに上階となるフロアのケーブルラック挿通開口部３０にも挿通されるように、連続するものであるが、図示は省略している。
【００１８】
図２はケーブルラック５０の利用方法を説明する図である。ケーブル８０はケーブルラック５０に、不図示の結束バンドによって固定する。
【００１９】
床部に設けられているケーブル８０を挿通させるケーブルラック挿通開口部３０は、ビルの施工期間中、安全を担保するためにも何らかの手段により、遮蔽するようにしている。従来、遮蔽手段としてはベニヤ板などを用いるようにしていたが、ビルの施工中においては、ケーブルラック５０には随時、新たな電気配線となるケーブル８０が追加されるわけであるが、従来の方法によれば、ケーブル８０の追加の度に、ベニヤ板の形状を変更させるなどの処置が必要となり、手間がかかる、という問題があった。
【００２０】
そこで、本考案に係るケーブルラック挿通開口部のカバーキット１００では、ビル施工期間中においても、柔軟かつ簡便にケーブルラック挿通開口部３０を遮蔽することを可能とするものを提供するものである。
【００２１】
図３は本考案の実施の形態に係るケーブルラック挿通開口部のカバーキット１００を示す図である。ケーブルラック挿通開口部のカバーキット１００を構成するものには２つの部材があり、図３（Ａ）はその一方であるスペーサー部材２００を示す図であり、図３（Ｂ）は他方のネット部材３００を示す図である。
【００２２】
スペーサー部材２００は、中央に開口２０３が設けられている矩形状の開口枠部２０５と、この開口枠部２０５の一辺側から第１の方向に延出する第１垂直片２１０と、開口枠部２０５の他方の辺側から第１の方向と反対の第２の方向に延出する第２垂直片２２０と、からなる基本構成を有している。
【００２３】
開口枠部２０５の開口２０３は、ネット部材３００の第１紐部材３１０を結びつけたり、或いは、第２紐部材３２０の端部に設けられているフック部材３３０を係合したりするのに好適に用いることができる。
【００２４】
また、開口枠部２０５から、第１垂直片２１０と第２垂直片２２０とがそれぞれ異なる方向に延出することで、スペーサー部材２００がケーブルラック５０に取り付けられたとき、開口枠部２０５が、床から所定の高さに配されることとなり、フック部材３３０を開口枠部２０５に係合するときなどに、取り扱い性が向上する。
【００２５】
第１垂直片２１０には、２つの長孔状の孔部２１２が設けられており、２つの孔部２１２にはボルト部材２３０が各々挿通されている。ボルト部材２３０は、略Ｊ字状の部材であり、ケーブルラック５０の垂直支柱部６０への係合に利用される引っ掛け部２３２と、ナット部材２４０との螺着に用いられる螺旋状溝部２３５とを有している。
【００２６】
孔部２１２は長孔とすることで、スペーサー部材２００を種々の寸法のケーブルラック５０への取り付けることが可能となる。
【００２７】
ネット部材３００は、矩形状の網部３０５と、この網部３０５の第１辺側においてこれに沿って目通しされると共に、第１辺を挟む第３辺及び第４辺の双方より引き出される第１紐部材３１０と、前記第１辺側と対向する第２辺側においてこれに沿って目通しされると共に、第２辺を挟む第３辺及び第４辺の双方より引き出される第２紐部材３２０と、とからなる構成されている。
それぞれの紐部材は、第３辺及び第４辺の双方より引き出される際には、網部３０５との間で結び目を設けた上で、引き出されることが好ましい。
【００２８】
ネット部材３００は、網部３０５の第１辺側を鉛直上方として（又は第２辺側を鉛直上方として）、ケーブルラック５０の周囲に巻き付けるようにして利用するが、ネット部材３００の上下関係を把握しやすくするために、第１紐部材３１０と第２紐部材３２０の色を互いに異ならせるように構成すると好ましい。
【００２９】
第２紐部材３２０の両端部には、Ｓ字状のフック部材３３０が取り付けられており、ケーブルラック５０やスペーサー部材２００への係合に利用し得るようになっている。
【００３０】
第１紐部材３１０には、フック部材３３０は設けられていないが、ケーブルラック５０やスペーサー部材２００には、第１紐部材３１０を利用して、これらに結わくようして利
用される。
【００３１】
なお、本実施形態においては、第１紐部材３１０にはフック部材３３０を設けず、第２紐部材３２０にフック部材３３０を設けるようにしているが、これは必須の構成ではない。すなわち、第１紐部材３１０及び第２紐部材３２０の双方にフック部材３３０を設けないようにすることもできるし、第１紐部材３１０及び第２紐部材３２０の双方にフック部材３３０を設けるようにすることもできる。さらに、フック部材３３０を設ける箇所を紐部材の両端部とする必要もなく、一端部の一箇所のみとすることもできる。
【００３２】
次ぎに、以上のような本考案に係るケーブルラック挿通開口部のカバーキット１００を利用して、ケーブルラック挿通開口部３０を遮蔽する方法について説明する。
【００３３】
図４乃至図６は本考案の実施の形態に係るケーブルラック挿通開口部のカバーキット１００の利用方法を説明する図である。
【００３４】
図４はケーブルラック挿通開口部３０において、ケーブルラック５０の２つの垂直支柱部６０のそれぞれにスペーサー部材２００を取り付けた状態を示している。
【００３５】
スペーサー部材２００を取り付ける際には、垂直支柱部６０のコ字状断面の両端部に、ボルト部材２３０の引っ掛け部２３２を係合し、ボルト部材２３０にナット部材２４０を取り付けることで、スペーサー部材２００を固定する。
【００３６】
なお、図７は他の形態のケーブルラック挿通開口部３０を説明する図であるが、図７に示すようにケーブルラック挿通開口部３０の周囲にフランジ部３５が設けられているような場合には、必ずしもスペーサー部材２００を取り付ける必要はない。
【００３７】
図５は、ケーブルラック５０にネット部材３００を巻き付け始めた状態を示している。本例では、第１紐部材３１０をケーブルラック５０の水平桁部７０に結びつけ、第２紐部材３２０のフック部材３３０をスペーサー部材２００の開口枠部２０５に係合させて、巻き始める状態を示しているが、それぞれの紐部材はこのような使用形態に限られるものではない。本例では、網部３０５の第１辺側が鉛直上方で、第２辺側が鉛直下方側となるようにネット部材３００がケーブルラック５０に巻き付けられることとなる。
【００３８】
網部３０５の第２辺側を、スペーサー部材２００の外周囲に引っ掛けながら、ネット部材３００をケーブルラック５０に周囲に巻回していき、最後に適宜第１紐部材３１０や第２紐部材３２０をケーブルラック５０に結びつけたり、フック部材３３０を利用して係合させたりすることで、ケーブルラック挿通開口部３０の遮蔽が完了する。図６はこの状態を示している。
【００３９】
以上のような本考案のケーブルラック挿通開口部のカバーキット１００によれば、施工中のビルなどにおいて、床面に設けられたケーブルラック挿通開口部３０を簡便に遮蔽することが可能となる。
【符号の説明】
【００４０】
３０・・・ケーブルラック挿通開口部
３５・・・フランジ部
５０・・・ケーブルラック
６０・・・垂直支柱部
７０・・・水平桁部
８０・・・ケーブル
１００・・・ケーブルラック挿通開口部のカバーキット
２００・・・スペーサー部材
２０３・・・開口
２０５・・・開口枠部
２１０・・・第１垂直片
２１２・・・孔部
２２０・・・第２垂直片
２３０・・・ボルト部材
２３２・・・引っ掛け部
２３５・・・螺旋状溝部
２４０・・・ナット部材
３００・・・ネット部材
３０５・・・網部
３１０・・・第１紐部材
３２０・・・第２紐部材
３３０・・・フック部材
【図１】
0003179008.tif 000003
【図２】
0003179008.tif 000004
【図３】
0003179008.tif 000005
【図４】
0003179008.tif 000006
【図５】
0003179008.tif 000007
【図６】
0003179008.tif 000008
【図７】
0003179008.tif 000009